(57)【特許請求の範囲】
【請求項１】
天井内に埋設される本体の下端に化粧パネルを備え、この化粧パネルの吸込口に吸込グリルを備えた天井埋込型空気調和装置において、
上記吸込グリルをフィルタ交換位置まで降下させてフィルタ交換位置では吸込グリルを水平状態から傾ける駆動機構を有し、
上記吸込グリルに、グリル面との間に間隙を形成するように取り付け具を片持ち支持し、前記間隙にプレフィルタを前記吸込グリルがフィルタ交換位置で傾いた場合の斜め下方へ引き出し自在に取り付けると共に、前記取り付け具に支持部を一体に形成し、この支持部上に、前記プレフィルタとは浄化能力の異なる空気清浄フィルタを、前記プレフィルタの引き出し方向とは反対方向である前記吸込グリルがフィルタ交換位置で傾いた場合の斜め上方へ引き出し自在に取り付けたことを特徴とする天井埋込型空気調和装置。
【発明の詳細な説明】
【０００１】
【発明の属する技術分野】
本発明は、昇降する吸込グリルを備えた天井埋込型空気調和装置に関する。
【０００２】
【従来の技術】
一般に、天井内に埋設される本体の下端に化粧パネルを備え、この化粧パネルの吸込口に吸込グリルを備え、この吸込グリルの４隅部を吊りひもで支持して降下可能に構成した天井埋込型空気調和装置が知られている。この種のものでは、吸込グリルを所定位置まで下降させた後、この吸込グリルのグリル面に取り付けられたプレフィルタを取り外してメンテナンスしている。
【０００３】
【発明が解決しようとする課題】
しかしながら、上述した従来の構成では、吸込グリルのグリル面に対して、上記プレフィルタだけしか取り付けられておらず、空気清浄フィルタは、天井内に埋設された本体側に取り付けられているため、吸込グリルを昇降自在に構成したものにおいて、このプレフィルタの清掃は容易になるものの、空気清浄フィルタの清掃は容易にならないという問題がある。
【０００４】
そこで、本発明の目的は、複数のフィルタの清掃を容易に行うことができる天井埋込型空気調和装置を提供することにある。
【０００５】
【課題を解決するための手段】
請求項１記載の発明は、天井内に埋設される本体の下端に化粧パネルを備え、この化粧パネルの吸込口に吸込グリルを備えた天井埋込型空気調和装置において、上記吸込グリルをフィルタ交換位置まで降下させてフィルタ交換位置では吸込グリルを水平状態から傾ける駆動機構を有し、上記吸込グリルに、グリル面との間に間隙を形成するように取り付け具を片持ち支持し、前記間隙にプレフィルタを前記吸込グリルがフィルタ交換位置で傾いた場合の斜め下方へ引き出し自在に取り付けると共に、前記取り付け具に支持部を一体に形成し、この支持部上に、前記プレフィルタとは浄化能力の異なる空気清浄フィルタを、前記プレフィルタの引き出し方向とは反対方向である前記吸込グリルがフィルタ交換位置で傾いた場合の斜め上方へ引き出し自在に取り付けたことを特徴とする。
【００１０】
【発明の実施の形態】
以下、本発明の実施の形態を、図面に基づき説明する。
【００１１】
図１は、本実施形態に係る空気調和装置１００を示す図である。図１に示すように、空気調和装置１００は、居住空間において天井に設置され、特に壁寄りの位置に設けられる。本体１は天井内部に埋設されている。
【００１２】
この本体１の内部には、図２，３に示すように、熱交換器２、送風機３等が収納されている。本体１の下端には化粧パネル７が固定されている。この化粧パネル７は、昇降グリル８を有し構成されている。
【００１３】
この化粧パネル７は、吹出口５と吸込口６とを有し、化粧パネル７の一端側には、居住空間の広域側寄りに吹出口５が設けられている。この吹出口５から居住空間の広域側（被調和室の中央部側）に空気が吐出される。
【００１４】
また、上記化粧パネル７の他端側には、壁寄りの位置に吸込口６が設けられており、この吸込口６から空気が吸い込まれる。
【００１５】
この吸込口６には昇降グリル８が配設されている。昇降グリル８は、吸込グリル１０と、この吸込グリル１０を昇降させる駆動システム２０とを有し、この駆動システム２０は、４本の吊りひも１２〜１５を、繰り出し／巻き取るための駆動機構２１を有し構成されている。
【００１６】
上記吸込グリル１０の開口部には、吸込空気を清浄化するためのフィルタ１１が着脱可能に設置されている。これら吸込グリル１０とフィルタ１１とは、図１に示すように、４本の吊りひも１２〜１５を介して、化粧パネル７に昇降自在に吊持されている。４本の吊りひも１２〜１５は、夫々の一端１２Ａ〜１５Ａが、上記吸込グリル１０の４隅部１０Ａ，１０Ｂ，１０Ｃ，１０Ｄに固定されている。また、吊りひも１２〜１５の各他端１２Ｂ〜１５Ｂは、図２及び図３に示すように、駆動機構２１につながれている。
【００１７】
この駆動機構２１は、図４及び図５に示すように、化粧パネル７の吸込口６の一辺側７Ａに設けられている。
【００１８】
この駆動機構２１は機械部２２を有し、この機械部２２は、図５に示すように、巻き取り器３５Ａ，３５Ｂ，３６Ａ，３６Ｂを有している。巻き取り器３５Ａ，３５Ｂ、及び巻き取り器３６Ａ，３６Ｂの夫々は、図示は省略したが、上下に重ねて配置されている。
【００１９】
一方の巻き取り器３５Ａ，３５Ｂの内、上に配置された巻き取り器３５Ａには、吊りひも１２の他端１２Ｂが止着され、この吊りひも１２は、吸込口６の一辺側７Ａに設けられた孔３１を通じて化粧パネル７の下方に垂下し、吸込グリル１０の隅部１０Ａに固定されている。
【００２０】
下に配置された巻き取り器３５Ｂには、吊りひも１４の他端１４Ｂが止着され、この吊りひも１４はころ３４を経由して、図６に示す通路Ｓを通じ、化粧パネル７の吸込口６の側辺部に沿って、該吸込口６の他辺側７Ｂに延出し、この他辺側７Ｂに形成された孔３２を通じて化粧パネル７の下方に垂下し、吸込グリル１０の隅部１０Ｂに固定されている。
【００２１】
他方の巻き取り器３６Ａ，３６Ｂの内、上に配置された巻き取り器３６Ａには、吊りひも１３の他端１３Ｂが止着され、この吊りひも１３は、吸込口６の一辺側７Ａに設けられた孔３１を通じて化粧パネル７の下方に垂下し、吸込グリル１０の隅部１０Ｄに固定されている。
【００２２】
下に配置された巻き取り器３６Ｂには、吊りひも１５の他端１５Ｂが止着され、この吊りひも１５はころ３４を経由して、図６に示す通路Ｓを通じ、化粧パネル７の吸込口６の側辺部に沿って、該吸込口６の他辺側７Ｂに延出し、この他辺側７Ｂに形成された孔３２を通じて化粧パネル７の下方に垂下し、吸込グリル１０の隅部１０Ｃに固定されている。
【００２３】
そして、巻き取り器３５Ａ，３５Ｂ、及び巻き取り器３６Ａ，３６Ｂには、図示を省略したギア等を介して駆動モータが連結され、このモータ駆動により、吊りひも１２〜１５が、繰り出し／巻き取りされる。例えば、機械部２２のモータの正回転時には４本の吊りひも１２〜１５が繰り出され、モータの逆回転時には４本の吊りひも１２〜１５が巻き取られる。ここで、巻き取り器３５Ａ，３５Ｂ、及び巻き取り器３６Ａ，３６Ｂは、一つの駆動モータで駆動してもよいし、別々の駆動モータで駆動してもよい。
【００２４】
上記構成では、駆動機構２１につながる２本の吊りひも１２，１３が、該吸込口６の一辺側７Ａから垂下し、残りの２本の吊りひも１４，１５が、吸込口６の側辺部に形成された通路Ｌを通じて、吸込口６の他辺側７Ｂに延出し、この吸込口６の他辺側７Ｂから垂下する。
【００２５】
上記通路Ｌは、図６に示すように、上記吸込グリル１０が化粧パネル７に収納された時に、化粧パネル７の吸込口６の周縁近傍で、吸込グリル１０と化粧パネル７との間に形成される空間Ｓである。
【００２６】
本実施形態では、図７に示すように、上記吸込グリル１０のグリル面１０Ｅにフィルタ１１が取り付けられている。そして、このフィルタ１１が、吸込グリル１０のグリル面１０Ｅに取り付けられたプレフィルタ（第１のフィルタ）４０と、吸込グリル１０のグリル面１０Ｅにおけるプレフィルタ４０の上方に取り付け具４３を介して取り付けられた、プレフィルタ４０とは浄化能力の異なる、空気清浄フィルタ（第２のフィルタ）４５とを備えて構成されている。
【００２７】
取り付け具４３は、図４に示すように、吸込グリル１０の幅方向の略中央部と、その両側に離れて設けられ、図７に示すように、一端４３Ａが、吸込グリル１０のグリル面１０Ｅに固定されていわば片持ちで支持されている。
【００２８】
そして、取り付け具４３の他端４３Ｂは、グリル面１０Ｅから浮いており、このグリル面１０Ｅとの間には隙間（開放部）δが形成されている。この隙間δは、プレフィルタ４０を矢印Ａの方向に引き出すための隙間であり、プレフィルタ４０の厚さｔよりも若干大きく形成されている。
【００２９】
また、取り付け具４３には、図４に示すように、空気清浄フィルタ４５の支持部４３Ｃが一体に形成され、この支持部４３Ｃ上には、重量の重い空気清浄フィルタ４５が取り付けられる。
【００３０】
この空気清浄フィルタ４５は、その取り外しに際し、矢印Ａの方向とは反対方向の矢印Ｂの方向に引き出される。
【００３１】
本実施形態では、吸込グリル１０を所定位置まで下降させた後、空気清浄フィルタ４５だけでも、プレフィルタ４０だけでも、或いはその両方のフィルタを容易に取り外し、清掃、取り付けを行うことができる。すなわち、空気清浄フィルタ４５だけの場合、それを矢印Ｂの方向に引き出せばよく、プレフィルタ４０だけの場合、それを矢印Ａの方向に引き出せばよい。
【００３２】
次に、昇降グリル８の動作について説明する。
【００３３】
図４，５に示すように、上記吸込口６を挟んで、上記機械部２２に対面する位置には、制御装置４１が設置されている。上記制御装置４１は、上記機械部２２のモータを制御する。制御装置４１は、図２，３に示すリモコン３０で無線通信されており、作業者Ａがリモコン３０によりグリル昇降運転を選択する。グリル昇降運転は、上記吸込グリル１０の上昇運転と降下運転とを有して構成され、上記フィルタ１１の清掃時、交換時等のメンテナンス作業時に利用される。
【００３４】
このメンテナンス作業時に、まずグリル昇降運転の降下運転が選択される。降下運転が選択されると、機械部２２のモータが起動されて、この機械部２２の巻き取り器３５，３６から吊りひも１２，１３が繰り出され、上記吸込グリル１０が天井から降下される。また、吊りひも１２，１３の繰り出し量は各々同量を保たれ、上記吸込グリル１０は水平状態を維持されながら降下される。
【００３５】
図３に示すように、上記吸込グリル１０がフィルタ交換位置Ｘまで降下されると、上記機械部２２のモータの動力を巻き取り器３５のみに伝達し、巻き取り器３５から吊りひも１２のみが繰り出され、上記吸込グリル１０は水平状態から被調和室の中央部側（空気の吐出側）に傾けられる。
【００３６】
そして上記吸込グリル１０が傾き角ａに傾けられると、機械部２２のモータは停止され、降下運転が停止される。
【００３７】
ここで、上記フィルタ交換位置Ｘは、作業者Ａがメンテナンス作業可能な低所位置であるのが望ましい。このフィルタ交換位置Ｘは、巻き取り器３６Ａ，３６Ｂから繰り出される２本の吊りひも１３，１５の繰り出し量により表される。また、上記傾き角度ａは、上記フィルタ交換位置Ｘにおいて、居住空間の広域側（被調和室の中央部側）に位置する作業者Ａの視野に、上記フィルタ１１の面が確認できる角度であるのが望ましい。
【００３８】
次に、上記フィルタ交換位置Ｘにおいて、作業者Ａにより、空気清浄フィルタ４５、及びプレフィルタ４０からなる、上記フィルタ１１を吸込グリル１０から取り外し、清掃、交換される。その後、このフィルタ１１は吸込グリル１０に取り付けられ、作業者Ａがグリル昇降運転の上昇運転を選択する。
【００３９】
上昇運転が選択されると、機械部２２のモータが起動され、上記機械部２２のモータの動力を巻き取り器３５のみに伝達し、上記吊りひも１２のみが巻き取り器３５に巻き取られて、被調和室の中央部側（空気吐出側）に傾いた上記吸込グリル１０の一端側が水平状態に戻りながら上昇される。
【００４０】
次に上記吸込グリル１０が水平状態に戻されると、巻き取り器３５Ａ，３５Ｂ及び巻き取り器３５Ａ，３５Ｂを同時に回転させて、４本の吊りひも１２〜１５が同時に巻き取られ、上位吸込グリル１０は水平状態で上昇される。そして、上記吸込グリル１０は水平状態のまま上記化粧パネル７に着入される。上記化粧パネル７に上記吸込グリル１０が着入されると、機械部２２のモータが停止され、上昇運転が停止される。
【００４１】
以上、本発明を上記実施の形態に基づいて説明したが、本発明はこれに限定されるものではない。
【００４２】
【発明の効果】
本発明では、吸込グリルを取り外せば、そこに第１，第２のフィルタが取り付けられているため、これらを容易に取り外すことができ、清掃し、それらを容易に取り付けることができる。
【図面の簡単な説明】
【図１】本発明に係る天井埋込型空気調和装置の一実施の形態を示す図である。
【図２】図１に示す天井埋込型空気調和装置の長手方向の断面図である。
【図３】図１に示す天井埋込型空気調和装置において、フィルタの清掃、交換作業時の吸込グリルと作業者との位置関係を示す図である。
【図４】図１に示す天井埋込型空気調和装置の外枠の長手方向の断面図である。
【図５】図１に示す天井埋込型空気調和装置の外枠を天井内から見た平面図である。
【図６】図１に示す天井埋込型空気調和装置の外枠の短手方向の断面図である。
【図７】フィルタの取り付け構造を示す図である。
【符号の説明】
１  本体
５  吹出口
４  外枠
６  吸込口
８  昇降グリル
１０  吸込グリル
１０Ｅ  グリル面
１１  フィルタ
１２  吊りひも
１３  吊りひも
４０  プレフィルタ（第１のフィルタ）
４３  取り付け具
４５  空気清浄フィルタ（第２のフィルタ）
１００  天井埋込型空気調和装置
Ｌ  通路
Ｓ  空間
Ｘ  所定位置
【図１】
0003843011.tif 000002
【図２】
0003843011.tif 000003
【図３】
0003843011.tif 000004
【図４】
0003843011.tif 000005
【図５】
0003843011.tif 000006
【図６】
0003843011.tif 000007
【図７】
0003843011.tif 000008